(57)【要約】      （修正有）【課題】限られたスペース内に多数種の商品を陳列するショーケース、特に冷蔵ショーケースに商品を陳列するのに適した商品提供用容器、該商品提供用容器を用いて提供する商品包装体および商品陳列方法を提供する。【解決手段】商店提供用容器１は、陳列棚を有するショーケースの支柱部に設置する帯状体２を備え、前記帯状体２に収納体３を設け、前記収納体３は、正面部３ａと開口部３ｂと底部３ｃを有し、前記正面部３ａは、開口辺の長さが底辺の長さよりも長く、前記開口部３ｂの面積が前記底部３ｃの面積よりも広いことを特徴とする。また、商品陳列方法は、陳列棚を有するショーケースの支柱部に帯状体２を設置し、該帯状体２に商品を収納した商品包装体４を設けて商品を陳列することを特徴とする。【選択図】図１
2005080696.tif 000002
【特許請求の範囲】
【請求項１】
陳列棚を有するショーケースの支柱部に設置する帯状体を備え、前記帯状体に収納体を設け、前記収納体は、正面部と開口部と底部を有し、前記正面部は、開口辺の長さが底辺の長さよりも長く、前記開口部の面積が前記底部の面積よりも広いことを特徴とする商品提供用容器。
【請求項２】
前記収納体を複数設けたことを特徴とする請求項１記載の商品提供用容器。
【請求項３】
前記収納体と収納体の間を、前記収納体に収納する商品包装体の上部が突出するように離隔して設けたことを特徴とする請求項２記載の商品提供用容器。
【請求項４】
前記底部の一辺の長さが前記帯状体の幅と同一であることを特徴とする請求項１乃至３のいずれかに記載の商品提供用容器。
【請求項５】
前記ショーケースが冷蔵ショーケースであって、前記帯状体の幅が前記冷蔵ショーケースの支柱部の幅と同一の幅または前記支柱部の幅よりも１〜３ｃｍ広い幅であること特徴とする請求項１乃至４のいずれかに記載の商品提供用容器。
【請求項６】
前記請求項１乃至５のいずれかに記載の収納体に収納する袋状の商品包装体であって、前記商品包装体の短辺が前記帯状体の幅よりも短く、前記商品包装体の長辺が前記収納体から突出する長さであることを特徴とする商品包装体。
【請求項７】
陳列棚を有するショーケースの支柱部に帯状体を設置し、該帯状体に商品を収納した商品包装体を設けて商品を陳列することを特徴とする商品陳列方法。
【請求項８】
前記商品の陳列方法において、前記請求項１乃至５のいずれかに記載の商品提供用容器を用いたことを特徴とする請求項７記載の商品の陳列方法。
【請求項９】
前記ショーケースが冷蔵ショーケースであって、前記陳列棚を複数段有することを特徴とする請求項７または８記載の商品陳列方法。
【発明の詳細な説明】
【技術分野】
【０００１】
本発明は、ショーケースの支柱部に商品を陳列可能とする商品提供用容器、該容器に陳列して提供する商品包装体および商品陳列方法に関する。
【背景技術】
【０００２】
従来、箱体若しくは袋体等の小形容器に包装された小形の商品は、売り場スペースを確保すると共に、顧客の目を引くために、スーパーマーケット等に設置された陳列棚とは別に、厚紙製の吊下式陳列棚等を用いて陳列されていた（例えば、特許文献１）。その他、販売促進を目的として、個々の商品を包装していた包装体自体を広告用のＰＯＰ広告用カートンとして組み立てて使用する容器も知られている（例えば、特許文献２）。
【特許文献１】特開２００２−３０６２９１号公報
【特許文献２】特開２０００−１９０９５４号公報
【発明の開示】
【発明が解決しようとする課題】
【０００３】
このような広告を兼ねたディスプレイ用の容器は、常温の陳列棚等に設置することを考慮したものであり、特に、チルド食品や、おにぎり、惣菜等の冷蔵を必要とする冷蔵ショーケース内に設置することを考慮したものではなかった。近年、おにぎり、サンドイッチ、弁当、惣菜等を中心とする冷蔵を必要とする商品の売り上げは向上しており、これらの商品選択の幅を広げて顧客を満足させるために、複数種の商品をスペースが限られた冷蔵ショーケース内に陳列しなければならず、前記特許文献１及び２に記載されているような吊下式陳列棚やＰＯＰ広告用カートンで冷蔵ショーケース内の陳列には適さないという問題があった。
一方、おにぎりや惣菜等の売り上げの向上と共に、食生活の充実を求めて冷蔵を必要としないみそ汁等のサイドメニューや、ドレッシング、しょうゆ等の調味料等の商品のニーズもあり、これらの商品の売り上げの向上も見込まれている。
しかしながら、コンビニエンスストアやスーパー等の店舗では、みそ汁やドレッシング等の冷蔵を必要としない商品の売り場は別になっており、わざわざ別の売り場に行ってみそ汁や調味量を購入しなければならないという不都合があった。また、おにぎりや惣菜等の売り場近くで販売されているみそ汁やスープ等の飲み物は、カップに１回分の具とみそ等が添付された商品がほとんどであり、このような商品は価格が高く、１回分に小分けされたみそ汁やスープ等を１回分ずつ購入できる商品が少ないという現状であった。
そこで、本発明は、前記現状を考慮して、限られたスペース内に多数種の商品を陳列するショーケース、特に冷蔵ショーケースに商品を陳列するのに適した商品提供用容器、該商品提供用容器を用いて提供する商品包装体および商品陳列方法を提供することを課題とする。
【課題を解決するための手段】
【０００４】
本発明者らは、特に、コンビニエンスストアにおいて、おにぎり、サンドイッチ等の商品を陳列する冷蔵ショーケースの支柱部の幅がほぼ共通化されていることを知見し、デッドスペースとなっていた支柱部に設置することのできる商品提供用容器、該商品提供用容器に収納する商品包装体および商品陳列方法を提供する。
すなわち、本発明の商品提供用容器は、請求項１に記載の通り、陳列棚を有するショーケースの支柱部に設置する帯状体を備え、前記帯状体に収納体を設け、前記収納体は、正面部と開口部と底部を有し、前記正面部は、開口辺の長さが底辺の長さよりも長く、前記開口部の面積が前記底部の面積よりも広いことを特徴とする。
また、請求項２記載の商品提供用容器は、前記請求項１に記載の商品提供用容器において、前記収納体を複数設けたことを特徴とする。
また、請求項３記載の商品提供用容器は、前記請求項２に記載の商品提供用容器において、前記収納体と収納体の間を、前記収納体に収納する商品包装体の上部が突出するように離隔して設けたことを特徴とする。
また、請求項４記載の商品提供用容器は、前記請求項１乃至３のいずれかに記載の商品提供用容器において、前記底部の一辺の長さが前記帯状体の幅と同一であることを特徴とする。
また、請求項５記載の商品提供用容器は、前記請求項１乃至４のいずれかに記載の商品提供用容器において、前記ショーケースが冷蔵ショーケースであって、前記帯状体の幅が前記冷蔵ショーケースの支柱部の幅と同一の幅または前記支柱部の幅よりも１〜３ｃｍ広い幅であること特徴とする。
本発明の商品包装体は、前記課題を解決するべく、請求項６に記載の通り、前記請求項１乃至５のいずれかに記載の収納体に収納する袋状の商品包装体であって、前記商品包装体の短辺が前記帯状体の幅よりも短く、前記商品包装体の長辺が前記収納体から突出する長さであることを特徴とする。
本発明の商品陳列方法は、前記課題を解決するべく、請求項７に記載の通り、陳列棚を有するショーケースの支柱部に帯状体を設置し、該帯状体に商品を収納した商品包装体を設けて商品を陳列することを特徴とする。
また、請求項８記載の商品の陳列方法は、前記請求項７記載の商品陳列方法において、前記請求項１乃至５のいずれかに記載の商品提供用容器を用いて、商品を陳列することを特徴とする。
また、請求項９記載の商品陳列方法は、前記請求項７または８記載の商品陳列方法において、前記ショーケースが冷蔵ショーケースであって、前記陳列棚を複数段有することを特徴とする。
【発明の効果】
【０００５】
本発明の商品提供用容器は、従来においてデッドスペースとなっていたショーケースの支柱部を利用して、商品を陳列することができ、売り場スペースが限定されている前記ショーケース内において、新たに陳列スペースを拡大することができる。また、前記収納体は、正面部と開口部と底部を有し、前記正面部は、開口辺の長さが底辺の長さよりも長く、前記開口部の面積が前記底部の面積よりも広いため、前記収納体に収納した商品包装体を取り出し易い。
さらに、前記商品提供用容器は、前記ショーケースの前記支柱部から飛び出す形態となり、顧客の注意を引くことができ、優れた広告機能を発揮する。
また、前記帯状体の幅は、冷蔵ショーケースの支柱部の幅と同一又は前記支柱部の幅よりも１〜３ｃｍ広くなるだけなので、実質的に前記支柱部から前記帯状体がはみ出す幅は、支柱部の両側から０．５〜１．５ｃｍ程度となり、前記商品提供用容器が、前記冷蔵ショーケースに陳列した商品の出し入れの邪魔となることがなく、前記冷蔵ショーケース内にデッドスペースを形成しない。
また、前記商品提供用容器に陳列する商品が、袋状の商品包装体に包装されたものであって、前記商品包装体の短辺が前記帯状体の幅よりも短く、前記商品包装体の長辺が前記収納体から突出する長さであると、顧客が前記商品包装体を取り出し易い。また、複数の前記商品包装体を前記収納体に収納すると、前記収納体の面積の狭い底部から面積の広い開口部に向かって、個々の前記商品包装体が扇状に広がり、前記商品包装体の正面に印刷された内容を確認することができ、前記商品包装体自体が顧客の目を引いて広告機能を発揮すると共に、個々の前記商品包装体も取り出し易くなり、売り上げの向上につなげることができる。
このような商品提供用容器を用いた商品の陳列方法によれば、おにぎり、惣菜等の多品種の商品を陳列する冷蔵ショーケースの陳列スペースに侵入することなく、前記おにぎり、惣菜等と共に飲食する、冷蔵を必要としないみそ汁やスープ等のサイドメニュー商品や、ドレッシング等の調味料等を顧客が直ぐに手に取ることができるように提供することができ、利便性が向上すると共に、これらの冷蔵を必要としない商品の販売促進を図ることができる。
【発明を実施するための最良の形態】
【０００６】
本発明の商品提供用容器は、ショーケースの支柱部に設置する帯状体を備え、商品を収納する収納体を前記帯状体に設けている。このため、従来においてデッドスペースとなっていたショーケースの支柱部を利用して、商品の陳列を行うことができ、売り場スペースが限定されていたショーケース内において、新たな売り場スペースを確保することができる。また、前記商品提供用容器は、ショーケースの支柱部から飛び出した形態で設置されるため、顧客の目を引くことができ、
ＰＯＰ広告としての機能を発揮し、販売促進を図ることができる。
【実施例】
【０００７】
以下、本発明の商品提供用容器の実施例について、図面に基づき詳細に説明する。なお、前記商品提供用容器は、この実施例に限定されるものではない。
【０００８】
図１から図３に本発明の商品提供用容器の一実施例を示す。図１は、前記商品提供用容器の斜視図、図２は、前記商品提供用容器の正面図、図３は、前記商品提供用容器の側面図である。
図１から図３に示すように、本発明の商品提供用容器１は、ショーケースの支柱部に設置する帯状体２を備え、該帯状体２に収納体３を設けている。
図２に示すように、前記収納体３は、正面部３ａと開口部３ｂと底部３ｃと両側面部３ｄを有し、前記正面部３ａは、開口辺の長さが底辺の長さよりも長く、開口部３ｂの面積が底部３ｃの面積よりも広くなっているポケット状の箱体である。このため、収納体３に収納した商品包装体４を取り出し易い。また、前記底部３ｃは、前記帯状体２と同一の幅となっている。
【０００９】
前記帯状体２の幅は、ショーケースの支柱部に設置できるように、前記ショーケースの支柱部と同一の幅または前記支柱部よりも１〜３ｃｍ程度広い幅であることが好ましい。帯状体２の幅が、前記支柱部と同一の幅であると、帯状体２が前記支柱部からはみ出さない。また、帯状体２の幅が、前記支柱部の幅よりも１〜３ｃｍ程度広い幅であると、帯状体２が前記支柱部からはみ出すのは、前記支柱部の両側から０．５〜１．５ｃｍ程度であり、前記支柱部に近接して前記ショーケースの陳列棚に商品を陳列した場合であっても、商品提供用容器１の後側に陳列した商品を確認することができ、商品提供用容器１が邪魔になることなく、商品を取り出すことができ、前記冷蔵ショーケース内にデッドスペースを形成しない。
帯状体２の裏面には、両面テープ等を設け、商品提供容器１を前記支柱部に商品提供用容器１を設置することができるようにする。また、帯状体２の裏面に吸盤を設けて、前記吸盤で前記支柱部に設置するようにしてもよい。その他、フックやひもを用いて前記支柱部に商品提供用容器１を吊り下げて設置してもよい。
【００１０】
また、商品提供用容器１は、帯状体２に収納体３を複数設けており、商品提供用容器１に収納する商品点数を増大することができ、商品選択の幅を広げて、顧客の商品選択の自由度を満足させることができる。なお、帯状体２に、収納体３を複数設ける場合は、商品包装体４の上部が収納体３から突出可能となるように、収納体３と収納体３の間を離隔して設ける。また、複数の陳列棚を有する冷蔵ショーケースに商品包装体１を設置する場合、冷蔵ショーケースの支柱部の長さに合わせて適宜商品包装体１の帯状体２の長さを設定することが可能であり、帯状体２に設ける収納体３の個数も適宜設定することが可能である。
【００１１】
図４は、商品提供用容器１の収納体３に収納する商品包装体を示す一実施例であり、商品包装体４の正面図である。
商品包装体４は、上下がシールされた袋状のものであり、図４に示すように、商品包装体４の短辺４ａが帯状体２の幅よりも短く、商品包装体４の長辺４ｂが収納体３から突出する長さとなっている。このため、顧客が商品包装体４を取り出し易い。また、複数の商品包装体４を収納体３に収納すると、面積の狭い底部３ｃから面積の広い開口部３ｂに向かって、個々の商品包装体４が扇状に広がり、個々の商品包装体４の正面に印刷された内容を確認することができ、商品包装体４自体が顧客の目を引いて広告機能を発揮し、売り上げの向上につなげることができる。
このような商品包装体４に包装する商品としては、例えば、１回分に小分けされたみそ汁、ふりかけ、顆粒状若しくは濃縮されたスープ等のサイドメニュー、ドレッシング、しょうゆ、ソース、マヨネーズ、ケチャップ等の調味料、顆粒状若しくは濃縮状のコーヒー、果汁等の飲料等の商品を提供することが考えられる。
前記商品に限らず、商品包装体４に包装可能な商品であれば、サプリメント等の他の商品を包装することが考えられ、商品包装体４に包装可能な商品であれば、前記商品の例に限らない。
【００１２】
図５は、前記商品提供用容器１を用いて、商品を陳列する陳列方法の一実施例を示す斜視図である。図５に示すように、商品提供用容器１を、チルド食品やおにぎり、サンドイッチ、サラダ等の惣菜を陳列棚６に陳列する冷蔵ショーケース５の支柱部７に設置することにより、商品包装体４を用いて包装したような、みそ汁、ふりかけ等の前記おにぎり等の共に飲食する商品の新たな陳列スペースを確保することができる。このため、顧客がわざわざ異なる売り場に足を運ぶことなく、簡単に商品を手に取ることができ、サイドメニューや調味料等の販売を促進することができる。なお、ショーケースの支柱部に設置する帯状体に、前述のような商品を収納した商品包装体を接着剤等で接着したり、フック等で引っかけることにより、個々の前記商品包装体を帯状体から取り外し可能とした状態で、前記商品包装体に収納した商品をショーケースの支柱部に陳列することも可能である。
また、図５に示すように、商品提供用容器１は、冷蔵ショーケース５の支柱部７から飛び出す形態となり、顧客の注意を引くことができるため、ＰＯＰ広告として優れた広告機能を発揮する。なお、商品提供用容器１は、冷蔵ショーケース５の支柱部７から飛び出す形態となるが、商品提供用容器１に収納される商品は、小形の商品包装体４に包装されるものであるため、店内において通行の邪魔になるようなことはない。
【図面の簡単な説明】
【００１３】
【図１】本発明の商品提供用容器の一実施例を示す斜視図
【図２】図１の商品提供用容器の正面図
【図３】図１の商品提供用容器の側面図
【図４】本発明の商品包装体の一実施例を示す正面図
【図５】本発明の商品陳列方法の一実施例を示す斜視図
【符号の説明】
【００１４】
１    商品提供用容器
２    帯状体
３    収納体
３ａ  正面部
３ｂ  開口部
３ｃ  底部
３ｄ  側面部
４    商品包装体
４ａ  短辺
４ｂ  長辺
５    冷蔵ショーケース
６    陳列棚
７    支柱部
【図１】
2005080696.tif 000003
【図２】
2005080696.tif 000004
【図３】
2005080696.tif 000005
【図４】
2005080696.tif 000006
【図５】
2005080696.tif 000007